(57)【要約】【課題】調湿装置において、窓の開放を考慮した外気冷房運転を行い、省エネ性の更なる向上を図る。【解決手段】外気冷房運転時に給気ファン（26）の風量が一定となるように給気ファン（26）のモータ回転速度を制御する給気風量制御部（92）と、給気ファン（26）のモータ負荷を検出する負荷検出部（96）と、外気冷房運転時に負荷検出部（96）によって検出された給気ファン（26）のモータ負荷が所定値以下になると、排気ファン（25）の風量を第１風量から第２風量へ増大させる排気風量制御部（93）とを備えている。【選択図】図４
2010139144.tif 000002
【特許請求の範囲】
【請求項１】
室内空気を吸い込んで室外へ排出するための排気ファン（25）と、室外空気を吸い込んで室内へ供給するための給気ファン（26）と、室内へ供給する空気の湿度を調節する調湿手段（51,52）とを備え、室外空気を上記調湿手段（51,52）で調湿せずに室内へ供給すると共に室内空気を室外へ排出する外気冷房運転を行う調湿装置であって、
上記外気冷房運転時に給気ファン（26）の風量が一定となるように該給気ファン（26）のモータ回転速度を制御する給気風量制御部（92）と、
上記給気ファン（26）のモータ負荷を検出する負荷検出部（96）と、
上記外気冷房運転時に上記負荷検出部（96）によって検出された給気ファン（26）のモータ負荷が所定値以下になると、上記排気ファン（25）の風量を第１風量から第２風量へ増大させる排気風量制御部（93）とを更に備えていることを特徴とする調湿装置。
【請求項２】
請求項１において、
上記排気風量制御部（93）は、上記外気冷房運転時に上記排気ファン（25）の風量が上記第２風量に増大した後、上記負荷検出部（96）によって検出された給気ファン（26）のモータ負荷が所定値以上になると、排気ファン（25）の風量を第２風量から上記第１風量へ減少させることを特徴とする調湿装置。
【請求項３】
請求項１又は２において、
上記排気風量制御部（93）は、上記外気冷房運転時に上記負荷検出部（96）によって検出された給気ファン（26）のモータ負荷が所定値以下となり、且つ該モータ負荷が所定時間に亘って所定範囲内であると、上記排気ファン（25）の風量を第１風量から第２風量へ増大させることを特徴とする調湿装置。
【請求項４】
請求項１乃至３のいずれか１つにおいて、
上記負荷検出部（96）は、上記給気ファン（26）のモータ入力電流値を上記モータ負荷として検出することを特徴とする調湿装置。
【発明の詳細な説明】
【技術分野】
【０００１】
本発明は、室内の湿度を調節する調湿装置に関し、特に室外空気を調湿せずに室内へ供給する外気冷房運転を行う調湿装置に係るものである。
【背景技術】
【０００２】
従来より、空気の湿度を調節する調湿装置が知られている。この種の調湿装置として、特許文献１には、吸着剤が担持された吸着熱交換器を用いて空気を調湿するものが開示されている。
【０００３】
特許文献１の調湿装置は、冷媒が循環して冷凍サイクルが行われる冷媒回路を有している。冷媒回路には、圧縮機と、第１吸着熱交換器と、第２吸着熱交換器と、膨張弁と、四方切換弁とが接続されている。圧縮機は、ケーシング内の所定の収容室に設けられている。また、第１吸着熱交換器と第２吸着熱交換器とは、ケーシング内の第１熱交換器室及び第２吸着熱交換器室にそれぞれ設けられている。
【０００４】
冷媒回路では、四方切換弁の設定に応じて冷媒の循環方向が可逆に切り換え可能となっている。具体的に、冷媒回路では、四方切換弁の設定が所定時間おきに切り換わることで、第１吸着熱交換器を高圧冷媒が流れて第２吸着熱交換器を低圧冷媒が流れる第１の動作と、第１吸着熱交換器を低圧冷媒が流れて第２吸着熱交換器を高圧冷媒が流れる動作とが交互に行われる。
【０００５】
低圧冷媒が流れる方の吸着熱交換器（蒸発器）では、吸着剤が冷却されるとともに、吸着剤に空気中の水分が吸着される。高圧冷媒が流れる方の吸着熱交換器（凝縮器若しくは放熱器）では、吸着剤が加熱されるとともに、水分が吸着剤から脱離して空気に付与される。このように、各吸着熱交換器では、四方切換弁の切り換えに伴い、水分を吸着する動作（吸着動作）と水分を脱離する動作（再生動作）とが交互に行われる。
【０００６】
この調湿装置は、各吸着熱交換器に担持された吸着剤に接触した空気の一方を室内へ供給して他方を室外へ排出する。例えば、調湿運転中の調湿装置では、第１及び第２の吸着熱交換器のうち蒸発器として動作する方を通過した空気が室内へ供給されて、凝縮器として動作する方を通過した空気が室外へ排出されるように、ケーシング内での空気の流通経路が設定される。この調湿装置では、このような空気の流通経路を複数のダンパの開閉動作によって切り換えるようにしている。
【０００７】
また、特許文献２には、いわゆる外気冷房が可能な空気調和装置が開示されている。この空気調和装置は、室外空気の温度が室内空気の温度よりも低いような時期（いわゆる中間期）において、比較的低い温度の室外空気をそのまま室内へ供給する。これにより、外気を用いて室内を冷房する外気冷房が行われ、省エネルギー性の向上が図られている。
【特許文献１】特開２００５−２９１５３２号公報
【特許文献２】特開２００５−１７２２８３号公報
【発明の開示】
【発明が解決しようとする課題】
【０００８】
ところで、室外空気の温度が室内空気よりも低いような時期（いわゆる中間期）では、上述のような調湿装置を用いて外気冷房運転を行うことが考えられる。即ち、中間期において、室外空気を吸着熱交換器等の調湿手段で調湿せずに室内へ供給することで、室内を冷房することができる。
【０００９】
このような中間期等には、部屋の窓を開放状態とし、室外空気を窓から室内へ取り込むことがある。しかしながら、従来のものでは、このような窓の開放を全く考慮せずに外気冷房を行っていたため、省エネ性が損なわれていた。
【００１０】
本発明は、かかる点に鑑みてなされたものであり、その目的は、調湿装置において、窓の開放を考慮した外気冷房運転を行い、省エネ性の更なる向上を図ることである。
【課題を解決するための手段】
【００１１】
第１の発明は、室内空気を吸い込んで室外へ排出するための排気ファン（25）と、室外空気を吸い込んで室内へ供給するための給気ファン（26）と、室内へ供給する空気の湿度を調節する調湿手段（51,52）とを備え、室外空気を上記調湿手段（51,52）で調湿せずに室内へ供給すると共に室内空気を室外へ排出する外気冷房運転を行う調湿装置を対象とし、上記外気冷房運転時に給気ファン（26）の風量が一定となるように該給気ファン（26）のモータ回転速度を制御する給気風量制御部（92）と、上記給気ファン（26）のモータ負荷を検出する負荷検出部（96）と、上記外気冷房運転時に上記負荷検出部（96）によって検出された給気ファン（26）のモータ負荷が所定値以下になると、上記排気ファン（25）の風量を第１風量から第２風量へ増大させる排気風量制御部（93）とを更に備えていることを特徴とする。
【００１２】
第１の発明の調湿装置では、外気冷房運転において、給気ファン（26）と排気ファン（25）とが運転される。給気ファン（26）が運転されると、室外空気が調湿手段（51,52）で調湿されずに室内へ供給される。同時に排気ファン（25）が運転されると、室内空気が室外へ排出される。その結果、中間期等には、比較的低温の室外空気が室内へ導入されて室内が冷房される。この外気冷房運転では、給気風量制御部（92）が給気ファン（26）の風量を一定とするように給気ファン（26）のモータ回転速度を制御する。これにより、外気冷房運転では、室内や室外の圧力や、室外空気が室内へ送られるまでの間のダクト等の流路抵抗等の影響を受けずに、室内へ一定の風量で給気が行われる。
【００１３】
このように給気ファン（26）の風量が一定に制御されている状況において、負荷検出部（96）は給気ファン（26）のモータ負荷を検出する。ここで、例えば中間期において在室者が部屋の窓を開放したとする。外気冷房運転時には、室内の圧力は通常陽圧となっているため、窓が開放されることで室内の圧力が大気圧に近づくように低下する。これにより、風量が一定となるようにモータ回転速度が制御された給気ファン（26）では、そのモータ負荷が小さくなる。そこで、本発明では、給気ファン（26）のモータ負荷が所定値以下になると、窓が開放されたとみなして、排気ファン（25）の風量を第１風量から第２風量へ増大させる。その結果、室外空気は開放状態の窓を通じて室内へ積極的に取り込まれ、室内の冷房（いわゆる自然換気）が促進される。
【００１４】
第２の発明は、第１の発明において、上記排気風量制御部（93）は、上記外気冷房運転時に上記排気ファン（25）の風量が上記第２風量に増大した後、上記負荷検出部（96）によって検出された給気ファン（26）のモータ負荷が所定値以上になると、排気ファン（25）の風量を第２風量から第１風量へ減少させることを特徴とする。
【００１５】
第２の発明では、上記のようにして排気ファン（25）の風量が第２風量まで増大された後、在室者が窓を閉めたとする。この場合には、室内の圧力が大気圧よりも高い圧力へと上昇するので、給気ファン（26）のモータ負荷が大きくなる。そこで、本発明では、給気ファン（26）のモータ負荷が所定値以上になると、開放状態であった窓が閉じられたとみなして、排気ファン（25）の風量を第２風量から第１風量へと減少させる。その結果、窓が閉じられているにも拘わらず、排気ファン（25）の風量が大風量となってしまうことが回避される。
【００１６】
第３の発明は、第１又は第２の発明において、上記排気風量制御部（93）は、上記外気冷房運転時に上記負荷検出部（96）によって検出された給気ファン（26）のモータ負荷が所定値以下となり、その後に該モータ負荷が所定時間に亘って所定範囲内であると、上記排気ファン（25）の風量を第１風量から第２風量へ増大させることを特徴とする。
【００１７】
第３の発明では、給気ファン（26）のモータ負荷が所定値以下となり、このモータ負荷が所定時間に亘って所定範囲内であると、窓が開放されたとみなして、排気ファン（25）の風量を第１風量から第２風量へ増大させる。即ち、本発明では、給気ファン（26）のモータ負荷が低くなり、且つこのモータ負荷が所定時間に亘って安定していない限り、排気ファン（25）の風量を増大させることがない。このため、窓が開放されていない状況で、給気ファン（26）のモータ負荷が何らかの影響で一時的に低下してしまった場合において、排気ファン（25）の風量が増大してしまうことを回避できる。
【００１８】
第４の発明は、第１乃至第３のいずれか１つの発明において、上記負荷検出部（96）は、上記給気ファン（26）のモータ入力電流値を上記モータ負荷として検出することを特徴とする。
【００１９】
第４の発明では、負荷検出部（96）が検出する給気ファン（26）のモータ負荷として、給気ファン（26）のモータの入力電流値が用いられる。
【発明の効果】
【００２０】
第１の発明によれば、外気冷房運転時において、給気ファン（26）の風量を一定に制御しているため、室内や室外の圧力変化や、ダクト等の流路抵抗の影響に依らず、一定風量の室外空気を室内へ供給することができる。そして、本発明の外気冷房運転では、このように給気ファン（26）の風量を一定に制御する条件下で、給気ファン（26）のモータ負荷が所定値以下になると、窓が開放されたとみなして排気ファン（25）の風量を第１風量から第２風量へ増大させている。これにより、室外空気を窓を通じて室内へ積極的に取り込んで自然換気を促すことができ、室内の省エネ性及び快適性を向上できる。また、窓の開閉状態を比較的容易に検出することができ、装置コストを低減できる。
【００２１】
特に第２の発明では、排気ファン（25）の風量が第２風量に増大した後、給気ファン（26）のモータ負荷が所定値以上になると、開放状態であった窓が閉鎖されたとみなして排気ファン（25）の風量を第１風量を減少させている。このため、窓が閉鎖されているにも拘わらず、排気ファン（25）が大風量で運転されてしまうことを防止でき、排気ファン（25）の動力を最小限に抑えることができる。
【００２２】
第３の発明では、給気ファン（26）のモータ負荷が所定値以下となり、且つこのモータ負荷が所定時間に亘って所定範囲内である場合に、排気ファン（25）の風量を増大させている。このため、例えば負荷検出部（96）で検出したモータ負荷がノイズ等により一時的に変動したような場合に、窓が閉じているにも拘わらず排気ファン（25）の風量が増大してしまうのを回避できる。その結果、このような誤判定に基づく排気ファン（25）の制御によって、室内の省エネ性や快適性が損なわれてしまうのを防止できる。
【００２３】
第４の発明では、給気ファン（26）のモータ負荷としてモータ入力電流値を用いているので、比較的容易に給気ファン（26）のモータ負荷を把握することができる。
【発明を実施するための最良の形態】
【００２４】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２５】
本実施形態の調湿装置（10）は、室内の湿度を調節するものである。また、調湿装置（10）は、室外空気を取り込んで室内へ供給すると同時に、室内空気を取り込んで室外へ排出する換気装置を構成している。
【００２６】
〈調湿装置の構成〉
まず、調湿装置（10）の全体構成について図１及び図２を参照しながら説明する。調湿装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）、及び電動膨張弁（55）が接続されている。冷媒回路（50）の詳細は後述する。
【００２７】
ケーシング（11）は、やや扁平で高さが比較的低い直方体状に形成されている。図１に示すケーシング（11）では、左手前の側面（即ち、前面）が前面パネル部（12）となり、右奥の側面（即ち、背面）が背面パネル部（13）となり、右手前の側面が第１側面パネル部（14）となり、左奥の側面が第２側面パネル部（15）となっている。
【００２８】
ケーシング（11）には、外気吸込口（24）と、内気吸込口（23）と、給気口（22）と、排気口（21）とが形成されている。外気吸込口（24）及び内気吸込口（23）は、背面パネル部（13）に開口している。外気吸込口（24）は、背面パネル部（13）の下側部分に配置されている。内気吸込口（23）は、背面パネル部（13）の上側部分に配置されている。給気口（22）は、第１側面パネル部（14）における前面パネル部（12）側の端部付近に配置されている。排気口（21）は、第２側面パネル部（15）における前面パネル部（12）側の端部付近に配置されている。
【００２９】
ケーシング（11）の内部空間には、上流側仕切板（71）と、下流側仕切板（72）と、中央仕切板（73）と、第１仕切板（74）と、第２仕切板（75）とが設けられている。これらの仕切板（71〜75）は、何れもケーシング（11）の底板に立設されており、ケーシング（11）の内部空間をケーシング（11）の底板から天板に亘って区画している。
【００３０】
上流側仕切板（71）及び下流側仕切板（72）は、前面パネル部（12）及び背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。
【００３１】
第１仕切板（74）及び第２仕切板（75）は、第１側面パネル部（14）及び第２側面パネル部（15）と平行な姿勢で設置されている。第１仕切板（74）は、上流側仕切板（71）と下流側仕切板（72）の間の空間を右側から塞ぐように、第１側面パネル部（14）から所定の間隔をおいて配置されている。第２仕切板（75）は、上流側仕切板（71）と下流側仕切板（72）の間の空間を左側から塞ぐように、第２側面パネル部（15）から所定の間隔をおいて配置されている。
【００３２】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。
【００３３】
ケーシング（11）内において、上流側仕切板（71）と背面パネル部（13）の間の空間は、上下２つの空間に仕切られており、上側の空間が内気側通路（32）を構成し、下側の空間が外気側通路（34）を構成している。内気側通路（32）は内気吸込口（23）と連通し、外気側通路（34）は外気吸込口（24）に連通している。内気側通路（32）には、内気側フィルタ（27）が設置されている。外気側通路（34）には、外気側フィルタ（28）が設置されている。
【００３４】
ケーシング（11）内における上流側仕切板（71）と下流側仕切板（72）の間の空間は、中央仕切板（73）によって左右に区画されており、中央仕切板（73）の右側の空間が第１熱交換器室（37）を構成し、中央仕切板（73）の左側の空間が第２熱交換器室（38）を構成している。第１熱交換器室（37）には、第１吸着熱交換器（51）が収容されている。第２熱交換器室（38）には、第２吸着熱交換器（52）が収容されている。また、図示しないが、第１熱交換器室（37）には、冷媒回路（50）の電動膨張弁（55）が収容されている。
【００３５】
各吸着熱交換器（51,52）は、いわゆるクロスフィン型のフィン・アンド・チューブ熱交換器の表面に吸着剤を担持させたものであって、全体として長方形の厚板状あるいは扁平な直方体状に形成されている。各吸着熱交換器（51,52）は、その前面及び背面が上流側仕切板（71）及び下流側仕切板（72）と平行になる姿勢で、熱交換器室（37,38）内に立設されている。吸着熱交換器（51,52）は、空気の湿度を調節するための調湿手段を構成している。
【００３６】
ケーシング（11）の内部空間において、下流側仕切板（72）の前面に沿った空間は、上下に仕切られており、この上下に仕切られた空間のうち、上側の部分が給気側通路（31）を構成し、下側の部分が排気側通路（33）を構成している。
【００３７】
上流側仕切板（71）には、開閉式のダンパ（41〜44）が４つ設けられている。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。
【００３８】
下流側仕切板（72）には、開閉式のダンパ（45〜48）が４つ設けられている。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。
【００３９】
ケーシング（11）内において、給気側通路（31）及び排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００４０】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。また、給気ファン（26）及び排気ファン（25）は、インバータ制御によってモータの回転数が可変となり、風量が変更可能に構成されている。
【００４１】
給気ファン室（36）には、冷媒回路（50）の圧縮機（53）と四方切換弁（54）とが収容されている。圧縮機（53）及び四方切換弁（54）は、給気ファン室（36）における給気ファン（26）と仕切板（77）との間に配置されている。
【００４２】
圧縮機（53）は、圧縮機モータの回転数が可変（即ち、容量が可変）なインバータ式の圧縮機で構成されている。また、圧縮機（53）は、固定スクロールと可動スクロールとが噛み合わされて、可動スクロールが固定スクロールに対して偏心回転して冷媒を圧縮する、スクロール式の圧縮機で構成されている。
【００４３】
ケーシング（11）内において、第１仕切板（74）と第１側面パネル部（14）の間の空間は、第１バイパス通路（81）を構成している。第１バイパス通路（81）の始端は、外気側通路（34）だけに連通しており、内気側通路（32）からは遮断されている。第１バイパス通路（81）の終端は、仕切板（78）によって、給気側通路（31）、排気側通路（33）、及び給気ファン室（36）から区画されている。仕切板（78）のうち給気ファン室（36）に臨む部分には、第１バイパス用ダンパ（83）が設けられている。
【００４４】
ケーシング（11）内において、第２仕切板（75）と第２側面パネル部（15）の間の空間は、第２バイパス通路（82）を構成している。第２バイパス通路（82）の始端は、内気側通路（32）だけに連通しており、外気側通路（34）からは遮断されている。第２バイパス通路（82）の終端は、仕切板（79）によって、給気側通路（31）、排気側通路（33）、及び排気ファン室（35）から区画されている。仕切板（79）のうち排気ファン室（35）に臨む部分には、第２バイパス用ダンパ（84）が設けられている。
【００４５】
なお、図２の右側面図及び左側面図では、第１バイパス通路（81）、第２バイパス通路（82）、第１バイパス用ダンパ（83）、及び第２バイパス用ダンパ（84）の図示を省略している。
【００４６】
〈冷媒回路の構成〉
図３に示すように、冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。
【００４７】
冷媒回路（50）において、圧縮機（53）は、その吐出側が四方切換弁（54）の第１のポートに、その吸入側が四方切換弁（54）の第２のポートにそれぞれ接続されている。また、冷媒回路（50）では、第１吸着熱交換器（51）と電動膨張弁（55）と第２吸着熱交換器（52）とが、四方切換弁（54）の第３のポートから第４のポートへ向かって順に接続されている。
【００４８】
四方切換弁（54）は、第１のポートと第３のポートが連通して第２のポートと第４のポートが連通する第１状態（図３(Ａ)に示す状態）と、第１のポートと第４のポートが連通して第２のポートと第３のポートが連通する第２状態（図３(Ｂ)に示す状態）とに切り換え可能となっている。このような四方切換弁（54）の設定の切り換えに応じて、冷媒回路（50）での冷媒の循環方向が反転する。即ち、四方切換弁（54）は、冷媒の循環方向を可逆に切り換える冷媒流路切換機構を構成している。そして、冷媒回路（50）では、四方切換弁（54）の切り換えに応じて、第１吸着熱交換器（51）を高圧冷媒が流れて第２吸着熱交換器（52）を低圧冷媒が流れる動作と、第１吸着熱交換器（51）を低圧冷媒が流れて第２吸着熱交換器（52）を高圧冷媒が流れる動作とが交互に行われる。
【００４９】
〈調湿装置の設置状況〉
調湿装置（10）の設置例について図４を参照しながら説明する。本実施形態の調湿装置（10）は、例えば室内（S）の天井裏に設置されている。調湿装置（10）には、給気ダクト（62）が接続している。給気ダクト（62）の流出端は、室内（S）に臨んでいる。給気ダクト（62）は、室内（S）への供給空気（SA）が流れるように構成されている。調湿装置（10）の排気口（21）には、排気ダクト（61）が接続している。排気ダクト（61）の流出端は、室外に臨んでいる。排気ダクト（61）は、室外への排出空気（EA）が流れるように構成されている。
【００５０】
調湿装置（10）の内気吸込口（23）には、内気吸込ダクト（63）が接続している。内気吸込ダクト（63）の流入端は、室内（S）に臨んでいる。内気吸込ダクト（63）は、調湿装置（10）に吸い込まれる室内空気（RA）が流れるように構成されている。調湿装置（10）の外気吸込口（24）には、外気吸込ダクト（64）が接続している。外気吸込ダクト（64）の流入側は、室外に臨んでいる。外気吸込ダクト（64）は、調湿装置（10）に吸い込まれる室外空気（OA）が流れるように構成されている。
【００５１】
上記内気吸込ダクト（63）には、室内空気の温度を検出する内気温度センサと、室内空気の湿度を検出する内気湿度センサとが設けられている（図示省略）。なお、内気温度センサや内気湿度センサを調湿装置（10）の内部の内気側通路（32）に配置しても良い。また、上記外気吸込ダクト（64）には、室外空気の温度を検出する外気温度センサと、室外空気の湿度を検出する外気湿度センサとが設けられている（図示省略）。なお、外気温度センサや外気湿度センサを調湿装置（10）の内部の外気側通路（34）に配置しても良い。また、内気湿度センサや外気湿度センサで検出される湿度は、絶対湿度と相対湿度とのいずれであっても良い。
【００５２】
調湿装置（10）によって湿度が調節される室内（S）には、複数の窓（W）が設けられている。そして、内気吸込ダクト（63）の流入端や外気吸込ダクト（64）の流入端は、室内の窓（W）の近傍に位置している。また、調湿装置（10）には、給気ファン（26）のモータ（26a）の入力電流値を検出する給気側電流計（96）と、排気ファン（25）のモータ（25a）の入力電流値を検出する排気側電流計（95）とが設けられている。給気側電流計（96）は、給気ファン（26）のモータ（26a）の負荷を検出する負荷検出部を構成している。
【００５３】
調湿装置（10）は、コントローラ（90）を備えている。コントローラ（90）は、入力部（91）と給気風量制御部（92）と排気風量制御部（93）とを備えている。入力部（91）には、上記の各種のセンサの検出値が入力される。具体的には、入力部（91）には、例えば外気温度センサ、外気湿度センサ、内気温度センサ、内気湿度センサ、給気側電流計（96）、及び排気側電流計（95）の検出値が入力される。
【００５４】
給気風量制御部（92）は、給気ファン（26）の風量を制御するものである。具体的には、給気風量制御部（92）は、給気ファン（26）の風量が所定の目標風量で一定となるように給気ファン（26）のモータ（26a）の回転速度（回転数）を制御する。排気風量制御部（93）は、排気ファン（25）の風量を制御するものである。具体的には、排気風量制御部（93）は、排気ファン（25）の風量が所定の目標風量で一定となるように排気ファン（25）のモータ（25a）の回転速度（回転数）を制御する。なお、給気ファン（26）や排気ファン（25）の風量を一定に制御する方法としては、例えば各ダクト内の空気通路に風速センサや圧力センサを設け、これらのセンサの検出値に基づいて各ファン（25,26）のモータ（25a,26a）の回転速度を制御する方法や、モータ（25a,26a）の回転速度と入力電流値との関係から各ファン（25,26）のモータ（25a,26a）の回転速度を制御する方法等が挙げられる。
【００５５】
また、本実施形態の調湿装置（10）の各運転（詳細は後述する）では、原則として、給気ファン（26）の風量が排気ファン（25）の風量よりも若干大きめに設定されている。従って、調湿装置（10）の運転時には、室内（S）の圧力が大気圧よりも高い、いわゆる陽圧の状態となっている。
【００５６】
−運転動作−
調湿装置（10）の運転動作について説明する。調湿装置（10）は、除湿換気運転と加湿換気運転と外気冷房運転とを選択的に行う。
【００５７】
除湿換気運転中や加湿換気運転中の調湿装置（10）は、取り込んだ室外空気（OA）を湿度調節してから供給空気（SA）として室内へ供給すると同時に、取り込んだ室内空気（RA）を排出空気（EA）として室外へ排出する。一方、外気冷房運転中の調湿装置（10）は、取り込んだ室外空気（OA）をそのまま供給空気（SA）として室内へ供給すると同時に、取り込んだ室内空気（RA）をそのまま排出空気（EA）として室外へ排出する。
【００５８】
また、除湿換気運転や加湿換気運転では、上記の各センサで検出した外気温度、内気温度、外気湿度、内気湿度に基づいて、調湿装置（10）の調湿能力が調節される。なお、本実施形態では、これらの外気温湿度、及び内気温湿度に基づいて冷媒回路（50）の圧縮機（53）の運転周波数が調節される。これにより、冷媒回路（50）での冷媒循環量が調節され、吸着熱交換器（51,52）の吸着能力や再生能力が変更される。
【００５９】
〈除湿換気運転〉
除湿換気運転中の調湿装置（10）では、後述する第１動作と第２動作が所定の時間間隔（３分間隔）で交互に繰り返される。つまり、除湿換気運転での２つの動作の１回毎の動作時間Δｔは３分に設定されている。この除湿換気運転中において、第１バイパス用ダンパ（83）及び第２バイパス用ダンパ（84）は、常に閉状態となる。
【００６０】
除湿換気運転中の調湿装置（10）では、室外空気が外気吸込口（24）からケーシング（11）内へ第１空気として取り込まれ、室内空気が内気吸込口（23）からケーシング（11）内へ第２空気として取り込まれる。
【００６１】
先ず、除湿換気運転の第１動作について説明する。図５に示すように、この第１動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第１動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００６２】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って室内へ供給される。
【００６３】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【００６４】
次に、除湿換気運転の第２動作について説明する。図６に示すように、この第２動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第２動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００６５】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って室内へ供給される。
【００６６】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【００６７】
〈加湿換気運転〉
加湿換気運転中の調湿装置（10）では、後述する第１動作と第２動作が所定の時間間隔（４分間隔）で交互に繰り返される。つまり、加湿換気運転での２つの動作の１回毎の動作時間Δｔは３分に設定されている。
この加湿換気運転中において、第１バイパス用ダンパ（83）及び第２バイパス用ダンパ（84）は、常に閉状態となる。
【００６８】
加湿換気運転中の調湿装置（10）では、室外空気が外気吸込口（24）からケーシング（11）内へ第２空気として取り込まれ、室内空気が内気吸込口（23）からケーシング（11）内へ第１空気として取り込まれる。
【００６９】
先ず、加湿換気運転の第１動作について説明する。図７に示すように、この第１動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第１動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００７０】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【００７１】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って室内へ供給される。
【００７２】
次に、加湿換気運転の第２動作について説明する。図８に示すように、この第２動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第２動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００７３】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【００７４】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って室内へ供給される。
【００７５】
〈外気冷房運転〉
外気冷房運転は、夏季と冬季の間の中間期等、室外空気の温度が比較的低いような条件下において、室外空気を室内へ導入して室内の冷房を行う運転である。外気冷房運転は、上述した除湿換気運転や加湿換気運転中において、所定の条件が成立することで自動的に実行される。この条件としては、例えばi）外気温度センサで検出した外気温度が所定温度（例えば２０℃）より低いこと、ii)外気温度センサで検出した外気温度が、内気温度センサで検出した内気温度よりも低いこと、iii)室内の目標温度（設定温度）よりも内気温度センサで検出した内気温度の方が高いこと、等が挙げられる。これらの少なくとも１つ、又は少なくとも２つ、又は３つの条件が成立することで、外気冷房運転が自動的に実行される。
【００７６】
外気冷房運転中における調湿装置（10）の動作について、図９を参照しながら説明する。外気冷房運転中の調湿装置（10）では、第１バイパス用ダンパ（83）及び第２バイパス用ダンパ（84）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態となる。また、外気冷房運転中において、冷媒回路（50）の圧縮機（53）は停止状態となる。
【００７７】
外気冷房運転中の調湿装置（10）では、室外空気が外気吸込口（24）からケーシング（11）内へ取り込まれる。外気吸込口（24）を通って外気側通路（34）へ流入した室外空気は、第１バイパス通路（81）から第１バイパス用ダンパ（83）を通って給気ファン室（36）へ流入し、その後に給気口（22）を通って室内へ供給される。
【００７８】
また、外気冷房運転中の調湿装置（10）では、室内空気が内気吸込口（23）からケーシング（11）内へ取り込まれる。内気吸込口（23）を通って内気側通路（32）へ流入した室内空気は、第２バイパス通路（82）から第２バイパス用ダンパ（84）を通って排気ファン室（35）へ流入し、その後に排気口（21）を通って室外へ排出される。
【００７９】
−外気冷房運転中の排気ファンの制御−
ところで、上記の外気冷房運転が行われるような中間期等においては、在室人が室外空気を室内へ取り込むために窓（W）を開放することがある。このようにして、自然換気が行われる状況下では、室外の空気を窓（W）を通じて室内へ積極的に取り込んだ方が、室内の冷房の効率が高まり、省エネ性あるいは快適性が向上することもある。そこで、本実施形態の外気冷房運転では、室内（S）の窓（W）が開放されたことを自動的に検出し、この検出結果に基づいて排気ファン（25）の風量を制御するようにしている。
【００８０】
具体的には、図１０に示すように、外気冷房運転が開始されると、まず、排気ファン（25）の風量がＶe1（第１風量）で一定に制御され、同時に給気ファン（26）の風量がＶs１で一定に制御される（ステップＳ１）。ここで、給気ファン（26）の風量Ｖs1は、排気ファン（25）の風量Ｖe1よりも若干大きめに設定される。このため、外気冷房運転の開始時には、室内の圧力が陽圧となっている。
【００８１】
次いで、ステップＳ２では、給気側電流計（96）が、給気ファン（26）のモータ（26a）の入力電流値を検出する。ここで、室内（S）の窓（W）が閉じた状態では、室内（S）の内圧が比較的高いため、給気ファン（26）のモータ（26a）の負荷も比較的大きくなる。即ち、給気ファン（26）は、風量がＶs1で一定に制御されているため、このように室内（S）の圧力が高い条件下では、モータ（26a）の回転速度も比較的高速となり、モータ（26a）の入力電流値が大きくなる。従って、このような状況では、給気ファン（26）のモータ（26a）の入力電流値が、予め設定された所定値Ｉs1よりも大きくなり、ステップＳ３の条件が成立しない。
【００８２】
これに対し、室内（S）の窓（W）が開放された状態では、室内（S）の内圧が比較的低いため、給気ファン（26）のモータ（26a）の負荷も比較的小さくなる。即ち、給気ファン（26）は、風量がＶs1で一定に制御されているため、このように室内（S）の圧力が低い条件下では、モータ（26a）の回転速度も比較的低速となり、モータ（26a）の入力電流値が小さくなる。従って、給気ファン（26）のモータ（26a）の入力電流値が、予め設定された所定値Is1以下となり、ステップＳ３の条件が成立してステップＳ４へ移行する。
【００８３】
ステップＳ４では、更に給気ファン（26）のモータ（26a）の入力電流値の判定が行われる。具体的には、ステップＳ４において、モータ（26a）の入力電流値が、所定時間（例えば３分）において、ほとんど変化せずに所定の範囲内に維持された場合、窓（W）が確実に開放されたとみなして、ステップＳ５へ移行する。その結果、排気風量制御部（93）は、排気ファン（25）の風量を、上記Ｖe1よりも大きいＶe2（第２風量）へ増大させる。
【００８４】
ステップＳ５において、排気ファン（25）の風量がＶe2に増大されると、内気吸込ダクト（63）への空気の吸込量が大きくなる。これにより、例えば図１１に示すように、室内（S）は負圧状態となり、室外空気が開放状態の窓（W）を通じて室内へ取り込まれる。これにより、窓（W）の開放に伴う自然換気が促進され、室内の省エネ性及び快適性が向上する。
【００８５】
このような運転動作中に、在室者が窓（W）を閉じたとする。この場合、室内（S）の内圧が上昇するため、給気ファン（26）のモータ（26a）の入力電流値が大きくなる。このような場合に、ステップＳ６において、給気ファン（26）のモータ（26a）の入力電流値が、予め設定された所定値Ｉs2以上となると、ステップＳ７へ移行する。その結果、排気風量制御部（93）は、排気ファン（25）の風量をＶe2からＶe1へ減少変化させる。これにより、図４に示すように、窓（W）が閉じた状態で通常の外気冷房運転が継続して行われる。
【００８６】
−実施形態の効果−
上記実施形態では、外気冷房運転において、給気ファン（26）の風量を一定に制御しているため、室内や室外の圧力変化やダクト等の流路抵抗の影響に依らず、所望とする風量の室外空気を室内へ供給することができる。従って、室内（S）の換気を確実に行うことができる。
【００８７】
そして、外気冷房運転では、このように給気ファン（26）の風量を一定に制御する条件下で、給気ファン（26）のモータ（26a）の入力電流値が所定値Ｉs1以下になると、窓（W）が開放されたとみなして排気ファン（25）の風量をＶe1からＶe2へ増大させている。これにより、室外空気を窓（W）を通じて室内へ積極的に取り込んで自然換気を促すことができ、室内の省エネ性及び快適性を向上できる。また、窓（W）の開閉状態を比較的容易に検出することができ、装置コストを低減できる。
【００８８】
また、排気ファン（25）の風量がＶe2に増大した後、給気ファン（26）のモータ（26a）の入力電流値が所定値Ｉs2以上になると、開放状態であった窓（W）が閉鎖されたとみなして排気ファン（25）の風量をＶe2からＶe1へ減少させている。このため、窓（W）が既に閉鎖されているにも拘わらず、排気ファン（25）が風量Ｖe2で運転されてしまうことを防止でき、排気ファン（25）の動力を最小限に抑えることができる。
【００８９】
また、上記実施形態では、ステップＳ３で給気ファン（26）のモータ（26a）の入力電流値が所定値以下となり、且つステップＳ４でモータ（26a）の入力電流値が３分間に亘って所定範囲内の値である場合に、排気ファン（25）の風量を増大させている。このため、例えば給気側電流計（96）で検出した入力電流値がノイズ等により変動したような場合にも、窓（W）が開放されたことを一層確実に検出することができる。なお、ステップＳ４での入力電流値の所定範囲内とは、一定の幅を有する値であっても良いし、一定の幅を有さない所定値であっても良い。
【００９０】
《その他の実施形態》
上記各実施形態については、以下のような構成としてもよい。
【００９１】
上記実施形態では、給気ファン（26）のモータ（26a）の入力電流値を、給気側電流計（96）によって検出してモータ負荷を導出している。しかしながら、給気ファン（26）のモータ負荷を検出する負荷検出部として、モータ（26a）の消費電力や入力電圧等を検出するものを用いても良い。
【００９２】
また、上記実施形態は、モータ負荷に基づいて窓（W）が開放されていることを検出しているが、この検出方法に加えて、室内の内気温度と外気温度との比較や、室内の内気湿度と外気湿度との比較、更には室内のエンタルピと室外のエンタルピとの比較を行い、窓（W）が開放されていることを検出しても良い。
【００９３】
また、上記実施形態は、１つの室内（S）に対応する調湿装置（10）が１台設置されているものであるが、例えば１つの室内（S）に対応する複数の調湿装置（10）を備えた調湿システムにおいて、本発明を適用することもできる。即ち、複数の調湿装置（10）で同一の室内の湿度を調節する調湿システムにおいて、各調湿装置（10）の給気ファン（26）のモータ負荷が所定値以上になると、各調湿装置（10）の排気ファン（25）の風量を増大させるようにしても良い。この場合には、全ての給気ファン（26）のモータ負荷が所定値以上になると、窓（W）が開放されたと判定しても良いし、一部の給気ファン（26）のモータ負荷が所定値以上になると、窓（W）が開放されたと判定しても良い。
【００９４】
また、調湿装置（10）では、空気を調湿する調湿手段として、冷媒回路（50）に接続された吸着熱交換器（51,52）を用いている。しかしながら、調湿手段は、これに限らず吸着ロータ方式等の他のものであっても良い。また、吸着熱交換器（51,52）を加熱又は冷却する熱媒体として温水や冷水を用いるようにしても良い。
【産業上の利用可能性】
【００９５】
以上説明したように、本発明は、室内の湿度を調節する調湿装置に関し、特に室外空気を調湿せずに室内へ供給する外気冷房運転を行う調湿装置について有用である。
【図面の簡単な説明】
【００９６】
【図１】図１は、前面側から見た調湿装置をケーシングの一部および電装品箱を省略して示す斜視図である。
【図２】図２は、調湿装置の一部を省略して示す概略の平面図、右側面図、及び左側面図である。
【図３】図３は、冷媒回路の構成を示す配管系統図であって、(Ａ)は第１動作を示すものであり、(Ｂ)は第２動作を示すものである。
【図４】図４は、調湿装置の設置状況、及び空気の流れを模式的に表した図であり、窓を開放した状態のものである。
【図５】図５は、除湿換気運転の第１動作における空気の流れを示す調湿装置の概略の平面図、右側面図、及び左側面図である。
【図６】図６は、除湿換気運転の第２動作における空気の流れを示す調湿装置の概略の平面図、右側面図、及び左側面図である。
【図７】図７は、加湿換気運転の第１動作における空気の流れを示す調湿装置の概略の平面図、右側面図、及び左側面図である。
【図８】図８は、加湿換気運転の第２動作における空気の流れを示す調湿装置の概略の平面図、右側面図、及び左側面図である。
【図９】図９は、外気冷房運転における空気の流れを示す調湿装置の概略の平面図、右側面図、及び左側面図である。
【図１０】図１０は、調湿装置の外気冷房動作時の制御フローである。
【図１１】図１１は、調湿装置の設置状況、及び空気の流れを模式的に表した図であり、窓を閉鎖した状態のものである。
【符号の説明】
【００９７】
10     調湿装置
25     排気ファン
26     給気ファン
51,52  吸着熱交換器（調湿手段）
92     給気風量制御部
93     排気風量制御部
96     給気側電流計（負荷検出部）
【図１】
2010139144.tif 000003
【図２】
2010139144.tif 000004
【図３】
2010139144.tif 000005
【図４】
2010139144.tif 000006
【図５】
2010139144.tif 000007
【図６】
2010139144.tif 000008
【図７】
2010139144.tif 000009
【図８】
2010139144.tif 000010
【図９】
2010139144.tif 000011
【図１０】
2010139144.tif 000012
【図１１】
2010139144.tif 000013